(57)【要約】      （修正有）【課題】安価及び簡単な構成により、昇降路内部の意匠性を向上させることができるエレベータ装置を得る。【解決手段】エレベータ昇降路内を昇降するかご１と、このかごとは逆方向に昇降路内を昇降する釣合い重り２と、昇降路内に立設され、かごの昇降方向を案内するかご用ガイドレール５と、昇降路内に立設され、釣合い重りの昇降方向を案内する釣合い重り用ガイドレール６と、昇降路内に設けられ、かご用ガイドレール及び釣合い重り用ガイドレールをそれぞれ支持するレールブラケット７，１１と、このレールブラケットを覆うように設けられたレールブラケットカバー９，１２とを備える。【選択図】図１
2006151578.tif 000002
【特許請求の範囲】
【請求項１】
エレベータ昇降路内を昇降する昇降体と、前記昇降路内に立設され、前記昇降体の昇降方向を案内するガイドレールと、前記昇降路内に設けられ、前記ガイドレールを支持するレールブラケットと、このレールブラケットを覆うように設けられたレールブラケットカバーとを備えたことを特徴とするエレベータ装置。
【請求項２】
エレベータ昇降路内を昇降するかごと、このかごとは逆方向に前記昇降路内を昇降する釣合い重りと、前記昇降路内に立設され、前記かごの昇降方向を案内するかご用ガイドレールと、前記昇降路内に立設され、前記釣合い重りの昇降方向を案内する釣合い重り用ガイドレールと、前記昇降路内に設けられ、前記かご用ガイドレール及び前記釣合い重り用ガイドレールをそれぞれ支持するレールブラケットと、このレールブラケットを覆うように設けられたレールブラケットカバーとを備えたことを特徴とするエレベータ装置。
【請求項３】
昇降路は、その昇降路壁の少なくとも一部が透明体により構成されたことを特徴とする請求項１又は請求項２に記載のエレベータ装置。
【請求項４】
かごは、そのかご室壁の少なくとも一部が透明体により構成されたことを特徴とする請求項１から請求項３の何れかに記載のエレベータ装置。
【請求項５】
レールブラケットカバーは、昇降路外部若しくはかご内の利用者から視認可能に配置されたことを特徴とする請求項１から請求項４の何れかに記載のエレベータ装置。
【請求項６】
レールブラケットは、複数の支持板から構成されるとともに、前記支持板は、少なくともその一部が溶接により固定されたことを特徴とする請求項１から請求項５の何れかに記載のエレベータ装置。
【発明の詳細な説明】
【技術分野】
【０００１】
この発明は、エレベータ昇降路内に設けられたレールブラケットのカバーを備えたエレベータ装置に関するものである。
【背景技術】
【０００２】
エレベータ昇降路内を互いに逆方向に昇降するかごと釣合い重りとは、それぞれに設けられたガイドシュー等が昇降路内に立設された一対のかご用ガイドレールや釣合い重り用ガイドレールに係合することにより、その昇降方向が案内されている。かごの昇降方向を案内するかご用ガイドレール及び釣合い重りの昇降方向を案内する釣合い重り用ガイドレールは、昇降路壁や昇降路梁等に設けられたレールブラケットにレールクリップ等を介して固定されており、かご及び釣合い重りの昇降可能範囲に渡ってそれぞれ配置されている。かご用ガイドレール及び釣合い重り用ガイドレールの各ガイドレールを支持する上記レールブラケットは、断面が略Ｌ字状を呈した鋼材等からなる複数の支持板が溶接固定されることによって構成されており、各ガイドレールの長さや重量等に基づいて所定の間隔毎に配置されている。
【０００３】
かかる構成を有するレールブラケットにより各ガイドレールが支持された従来のエレベータ装置には、例えば、昇降路内に突設されてかご用ガイドレール及び釣合い重り用ガイドレールをそれぞれ固定し、昇降路内の建築躯体に固定された立柱を連結するつなぎ梁の上面両側に固定し、且つ、この固定金具は前面水平方向に突設してつなぎ梁の上面の水平幅寸法より長寸とし、かご用ガイドレールとの結合部が前面に、釣合い重り用ガイドレールとの結合部が両側面にそれぞれ設けられたレール固定金具を備えるとともに、このレール固定金具は両側固定金具上に水平方向に調整可能に固定したものが開示されている（特許文献１参照）。
【０００４】
【特許文献１】実公平４−４２２９９号公報
【発明の開示】
【発明が解決しようとする課題】
【０００５】
特許文献１記載のエレベータ装置のように、かご用ガイドレール及び釣合い重り用ガイドレールの各ガイドレールを支持する上記レールブラケットは、鋼材等からなる複数の支持板によって構成されている。これは、レールブラケットの据付作業時に支持板の水平度調整や各ガイドレールの芯出し調整等が必要となるためであり、レールブラケットの各支持板は、これらの調整後、溶接により固定されている。このため、据付作業後のレールブラケットは複雑な形状を呈するとともに、多数の溶接箇所が剥き出しのままの状態であった。また、レールブラケットの各支持板の位置調整を行う場合等には、基準面等の精度が問題となるのみであり、各支持板の配置、特に位置調整を行った後の支持板の端部が他の支持板からどの程度突出しているか等は管理されておらず、レールブラケット全体として雑然とした構成を成していた。
【０００６】
かかる構成を有するレールブラケットは、通常、昇降路内に配置されているため、エレベータの利用者や乗場付近の人等から見えてしまうことはない。しかし、展望用エレベータ装置のようにかご室壁の一部及び昇降路壁の一部が強化ガラス等の透明体で構成されている場合や、昇降路壁の一部が強化ガラス等で構成され、乗場付近の人に対して昇降路内部の構成をわざと見せているようなエレベータ装置の場合等では、昇降路内部の意匠性が悪化してしまうという問題が生じていた。
【０００７】
また、レールブラケットの一部を工場等で予め一体製作することにより、昇降路内部の意匠性を向上させるものも考えられているが、レールブラケット及び各ガイドレールの据付作業性が悪化するとともに、鋼材等の重量及び製作コスト等が増加してしまうという問題があった。
【０００８】
この発明は、上述のような課題を解決するためになされたもので、その目的は、安価及び簡単な構成により、昇降路内部の意匠性を向上させることができるエレベータ装置を提供することである。
【課題を解決するための手段】
【０００９】
この発明に係るエレベータ装置は、エレベータ昇降路内を昇降する昇降体と、昇降路内に立設され、昇降体の昇降方向を案内するガイドレールと、昇降路内に設けられ、ガイドレールを支持するレールブラケットと、このレールブラケットを覆うように設けられたレールブラケットカバーとを備えたものである。
【発明の効果】
【００１０】
この発明は、エレベータ昇降路内を昇降する昇降体と、昇降路内に立設され、昇降体の昇降方向を案内するガイドレールと、昇降路内に設けられ、ガイドレールを支持するレールブラケットと、このレールブラケットを覆うように設けられたレールブラケットカバーとを備える構成としたことで、安価及び簡単な構成により、昇降路内部の意匠性を向上させることができる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１は、この発明の実施の形態１におけるエレベータ装置の平面図である。図１において、エレベータの昇降体であるかご１及び釣合い重り２は、エレベータ巻上機の駆動綱車（図示せず）に巻き掛けられた主索（図示せず）により釣瓶式に懸吊されており、この駆動綱車が回動することにより、昇降路３内を互いに逆方向に昇降する。エレベータの利用者が乗車するかご１は、エレベータ乗場４側のかご室壁、即ち、かご出入口（図示せず）が形成されたかご室壁を除く三方のかご室壁１ａ乃至１ｃ若しくはこのかご室壁１ａ乃至１ｃの一部が強化ガラス等の透明体で構成されており、かご１内部の利用者がかご１の外部を見ることができるようになっている。また、かご１の上下両端部には、ガイドシュー１ｄが設けられており、かご１の両側に配置された一対のかご用ガイドレール５に前記ガイドシュー１ｄが係合することにより、かご１の昇降方向が案内されている。なお、かご用ガイドレール５の支持構造等については後述する。
【００１３】
一方、かご１に定員の約半分が乗車した状態でかご１全体の重量とほぼ等しくなるようにその重量が設定された釣合い重り２は、鉛直投影面上、かご１の一側のかご室壁１ａとこのかご室壁１ａに対向する昇降路壁３ａとの間に配置されている。また、釣合い重り２の両側に互いに対向するように配置された釣合い重り用ガイドレール６は、鉛直投影面上、上記一対のかご用ガイドレール５に対してそのレール軸が直交する方向に配置されており、釣合い重り２の上下両端部に設けられたガイドシュー２ａがこの釣合い重り用ガイドレール６に係合することにより、釣合い重り２の昇降方向が案内されている。なお、釣合い重り用ガイドレール６の支持構造等については、かご用ガイドレール５と同様に後述する。
【００１４】
かご１及び釣合い重り２が昇降する昇降路３は、エレベータ乗場４が設けられた昇降路壁に対向する昇降路壁３ｂの一部及びかご１の他側のかご室壁１ｃに対向する昇降路壁３ｃの一部が強化ガラス等の透明体で構成されており、昇降路３内部から昇降路３外部、また、昇降路３外部から昇降路３内部を見ることができるようになっている。即ち、図１に示すエレベータ装置は、かご１内部の利用者が昇降路３外部の景色や風景等を見ることができる展望用エレベータ装置を示している。なお、かかる構成を有するエレベータ装置では、かご室壁１ａ乃至１ｃを介して、昇降路３の内部構造もかご１内のエレベータ利用者の視界に入ってしまうことになる。
【００１５】
次に、昇降路３内に立設されたかご用ガイドレール５及び釣合い重り用ガイドレール６の各ガイドレールの支持構造等について説明する。図２は、この発明の実施の形態１におけるエレベータ装置の要部斜視図であり、一方のかご用ガイドレール５ａ及び一対の釣合い重り用ガイドレール６と、これらのガイドレール５ａ及び６を支持する第一のレールブラケット７とを示したものである。図２において、一方のかご用ガイドレール５ａと一対の釣合い重り用ガイドレール６とは、それぞれレールクリップ８を介して、一側の昇降路壁３ａに設けられた第一のレールブラケット７に支持されている。この第一のレールブラケット７は、その上面が所定の水平度及び高さを有するように、アンカーボルト１ｅを介して一側の昇降路壁３ａに固定された２つの第一の支持板７ａと、各第一の支持板７ａに一端部がそれぞれ設けられ、他端部が反昇降路壁３ａ側に突出するように配置されるとともに、互いに対向する一側面に上記レールクリップ８を介して釣合い重り用ガイドレール６が固定された２つの第二の支持板７ｂと、この２つの第二の支持板７ｂの他端部に渡って設けられた第三の支持板７ｃと、この第三の支持板７ｃの中央部上面に設けられ、その反昇降路壁３ａ側側面にレールクリップ８を介して一方のかご用ガイドレール５ａが固定された第四の支持板７ｄとから構成されている。なお、第一のレールブラケット７の各支持板７ａ乃至７ｄは、所定の強度を確保するため略Ｌ字状を呈するとともに、各結合部は溶接により強固に固定されている。
【００１６】
また、図３はこの発明の実施の形態１におけるエレベータ装置の要部斜視図、図４は図１におけるＡ−Ａ断面図であり、第一のレールブラケット７を覆う第一のレールブラケットカバー９の構成を示したものである。図３及び図４において、一方のかご用ガイドレール５ａ及び一対の釣合い重り用ガイドレール６を支持する第一のレールブラケット７は、レールクリップ８固定部等の所定の箇所を除き、第一のレールブラケットカバー９により覆われている。この第一のレールブラケットカバー９は、一側の昇降路壁３ａに設けられ、各第一の支持板７ａを両側から覆う第一及び第二のカバー９ａ及び９ｂと、この第一のカバー９ａに一端部がそれぞれ設けられ、他端部が反昇降路壁３ａ側に突出するように第二の支持板７ｂを覆うとともに、第二の支持板７ｂに固定された釣合い重り用ガイドレール６及びこの釣合い重り用ガイドレール６を固定するレールクリップ８がその外側に配置されるように開口部が形成された第三のカバー９ｃと、各第三のカバー９ｃの他端部に渡って設けられ、第三の支持板７ｃを覆うように配置されるとともに、一方のかご用ガイドレール５ａが固定された第四の支持板７ｄの一側面がその外側に配置されるように開口部が形成された第四のカバー９ｄとから構成されている。なお、第一のレールブラケットカバー９の各カバー９ａ乃至９ｄは、その内部に第一のレールブラケット７が配置された略箱状を呈しており、内部の第一のレールブラケット７が外側から見えないように、その一部同士が重ね合わせられ、ボルトやビス等の留め具１０により連結されている。また、上記第一及び第二のカバー９ａ及び９ｂは一側の昇降路壁３ａに固定される構成としたが、第一のレールブラケット７の一部に固定するようにしても良い。
【００１７】
次に、他方のかご用ガイドレール５ｂを支持する第二のレールブラケット１１とこの第二のレールブラケット１１を覆う第二のレールブラケットカバー１２について説明する。図５はこの発明の実施の形態１におけるエレベータ装置の要部斜視図、図６は図１におけるＢ−Ｂ断面図である。図５及び図６において、他方のかご用ガイドレール５ｂは、レールクリップ８を介して他側の昇降路壁３ｃに設けられた第二のレールブラケット１１に支持されている。この第二のレールブラケット１１は、その上面が所定の水平度及び高さを有するように、アンカーボルト１ｅを介して他側の昇降路壁３ｃに固定された第五の支持板１１ａと、この第五の支持板１１ａの上面に設けられ、その反昇降路壁３ｃ側側面にレールクリップ８を介して他方のかご用ガイドレール５ｂが固定された第六の支持板１１ｂとから構成されている。なお、第二のレールブラケット１１の各支持板１１ａ及び１１ｂは、所定の強度を確保するため略Ｌ字状を呈するとともに、各結合部は溶接により強固に固定されている。
【００１８】
また、上記第二のレールブラケット１１は、レールクリップ８固定部等の所定の箇所を除き、第二のレールブラケットカバー１２により覆われている。この第二のレールブラケットカバー１２は、他方のかご用ガイドレール５ｂが固定された第六の支持板１１ｂの一側面がその外側に配置されるように開口部が形成されるとともに、第六の支持板１１ｂの一部及び第五の支持板１１ａを両側から覆う第五及び第六のカバー１２ａ及び１２ｂから構成されている。なお、第二のレールブラケットカバー１２の各カバー１２ａ及び１２ｂは、その内部に第二のレールブラケット１１が配置された略箱状を呈しており、内部の第二のレールブラケット１１が外側から見えないように、その一部同士が重ね合わせられ、ボルトやビス等の留め具１０により連結されている。また、上記第五及び第六のカバー１２ａ及び１２ｂは、他側の昇降路壁３ｃに固定されていても、第二のレールブラケット１１に固定されていても良い。
【００１９】
この発明の実施の形態１によれば、かご用ガイドレール５及び釣合い重り用ガイドレール６を支持する第一及び第二のレールブラケット７及び１１は、第一及び第二のレールブラケットカバー９及び１２により覆われているため、かご１内のエレベータ利用者や乗場４付近の人から、複雑な構成を有する各支持板７ａ乃至７ｄ及び１１ａ及び１１ｂ、並びに、各支持板の溶接箇所が見えず、昇降路３内の意匠性を向上させることが可能となる。また、第一及び第二のレールブラケット７及び１１の各支持板７ａ乃至７ｄ及び１１ａ及び１１ｂは略Ｌ字状を呈するとともに、複数個により構成されているため、従来通り水平度調整や各ガイドレール５及び６の芯出し調整等を容易に行うことができ、簡単な構成で且つ安価に提供することが可能となる。
【００２０】
なお、昇降路３内の意匠性をより向上させるため、第一及び第二のレールブラケットカバー９及び１２を昇降路壁３ａ乃至３ｃやかご１等の塗色と調和するように構成しても良い。例えば、第一及び第二のレールブラケットカバー９及び１２を昇降路壁３ａ乃至３ｃの塗色と同等の塗装を施したり、上記各レールブラケットカバー９及び１２をステンレス素材地のまま、又は、アクリル等で構成したりしても良い。また、実施の形態１では、展望用エレベータ装置について説明したが、昇降路壁の一部のみが強化ガラス等の透明体で構成され、かご１内のエレベータ利用者がかご１外部を見ることができないようなエレベータ装置においても、昇降路３付近を通過する人が昇降路３内を見ることができるような場合には、実施の形態１と同様の構成を有することにより、その昇降路３付近を通過する人に対して効果を奏することが可能となる。また、第一及び第二のレールブラケットカバー９及び１２は、昇降路３内の意匠性を向上させるために設けられるものであるから、かご１内のエレベータ利用者若しくは昇降路３外部にいる人から視認可能な箇所のみ第一及び第二のレールブラケットカバー９及び１２を設置するようにしても構わない。
【図面の簡単な説明】
【００２１】
【図１】この発明の実施の形態１におけるエレベータ装置の平面図である。
【図２】この発明の実施の形態１におけるエレベータ装置の要部斜視図である。
【図３】この発明の実施の形態１におけるエレベータ装置の要部斜視図である。
【図４】図１のＡ−Ａ断面図である。
【図５】この発明の実施の形態１におけるエレベータ装置の要部斜視図である。
【図６】図１のＢ−Ｂ断面図である。
【符号の説明】
【００２２】
１  かご
１ａ、１ｂ、１ｃ  かご室壁
１ｄ、２ａ  ガイドシュー
１ｅ  アンカーボルト
２  釣合い重り
３  昇降路
３ａ、３ｂ、３ｃ  昇降路壁
４  乗場
５、５ａ、５ｂ  かご用ガイドレール
６  釣合い重り用ガイドレール
７  第一のレールブラケット
７ａ  第一の支持板
７ｂ  第二の支持板
７ｃ  第三の支持板
７ｄ  第四の支持板
８  レールクリップ
９  第一のレールブラケットカバー
９ａ  第一のカバー
９ｂ  第二のカバー
９ｃ  第三のカバー
９ｄ  第四のカバー
１０  留め具
１１  第二のレールブラケット
１１ａ  第五の支持板
１１ｂ  第六の支持板
１２  第二のレールブラケットカバー
１２ａ  第五のカバー
１２ｂ  第六のカバー
【図１】
2006151578.tif 000003
【図２】
2006151578.tif 000004
【図３】
2006151578.tif 000005
【図４】
2006151578.tif 000006
【図５】
2006151578.tif 000007
【図６】
2006151578.tif 000008